(57)【要約】【課題】  特に含水率が高いスラリー状家畜排泄物を、安全、かつ生分解性よく、しかも効果的に固化処理し得る上、処理物は取扱性がよく、高く積上げが可能で、その貯蔵や輸送のためのスペースが少なくし得る家畜排泄物用処理剤および、家畜排泄物の処理方法を提供する。【解決手段】  鹸化度が９０モル％以上であり、かつ粒径が２〜２０メッシュのポリビニルアルコール共重合体からなる家畜排泄物用処理剤および、家畜排泄物に対して該家畜排泄物用処理剤を施用し固化した後、好気発酵させる家畜排泄物の処理方法である。【選択図】  無【特許請求の範囲】
【請求項１】
鹸化度が９０モル％以上であり、かつ粒径が２〜２０メッシュのポリビニルアルコール共重合体からなる家畜排泄物用処理剤。
【請求項２】
上部内径１２ｃｍ、下部内径１０ｃｍ、深さ１０ｃｍの容器に家畜排泄物用処理剤２０ｇ、オガクズ２５０ｇおよび牛糞１．０ｋｇの混合物を入れ、高さ１０ｃｍの場所から自重で落下させた時の積み上げ高さが５ｃｍ以上である請求項１に記載の家畜排泄物用処理剤。
【請求項３】
乳牛舎のバーンクリーナーに、オガクズ１２ｋｇ／頭・日、家畜排泄物用処理剤１ｋｇ／頭・日を散布し、回収した糞尿をホイールローダーで固めつつベルトコンベアを用いて、トラックの荷台（１．６ｍｘ２．０ｍ）に山積みした際の積み上げ高さが、荷台の床面から高さ２．０ｍ以上である請求項１又は２に記載の家畜排泄物用処理剤。
【請求項４】
水分量が８０質量％以上の家畜排泄物に対して施用する請求項１〜３のいずれかに記載の家畜排泄物用処理剤。
【請求項５】
家畜排泄物が牛及び／又は豚の排泄物である請求項１〜４のいずれかに記載の家畜排泄物用処理剤。
【請求項６】
家畜排泄物に対して請求項１〜５のいずれかに記載の家畜排泄物用処理剤を施用することを特徴とする家畜排泄物の固化方法。
【請求項７】
家畜排泄物に対して、家畜排泄物用処理剤を０．１〜３０質量％の割合で施用する請求項６に記載の家畜排泄物の固化方法。
【請求項８】
家畜排泄物に対して請求項１〜５のいずれかに記載の家畜排泄物用処理剤を施用して固化した後、好気発酵させることを特徴とする家畜排泄物の処理方法。
【請求項９】
家畜排泄物の堆肥化処理過程において請求項１〜５のいずれかに記載の家畜排泄物用処理剤を発酵助剤として用いることを特徴とする家畜排泄物の処理方法。
【発明の詳細な説明】
【技術分野】
【０００１】
本発明は、家畜排泄物用処理剤および家畜排泄物の処理方法に関し、詳しくはスラリー状の家畜排泄物を、安全、かつ生分解性よく、しかも効果的に固化処理し得る上、処理物は取扱性がよく、高く積上げが可能で、その貯蔵や輸送のためのスペースが少なくし得る家畜排泄物用処理剤、および家畜排泄物の処理方法に関する。
【背景技術】
【０００２】
近年、家畜排泄物の不適切な処理による河川、地下水の汚染が問題となっている。これら家畜排泄物の処理には従来、オガクズ、もみ殻、稲ワラなどを用いた堆肥化処理がなされてきた。しかし、これら資材は年々入手が難しくなっていることに加え、嵩張ることから広い保管場所の確保が必要である。また、家畜排泄物処理に関する法規制が厳しくなることから、堆肥化処理されるべき家畜排泄物の更なる増加が予想される。このように堆肥化処理されるべき家畜排泄物の増加と、堆肥化処理するための資材の入手がさらに難しくなる懸念があることから、安全かつ大量に入手できる該資材の代替物の登場が望まれている。
【０００３】
家畜糞尿などの堆肥化（コンポスト化）には微生物による発酵を促進するために水分調整剤が不可欠である。すなわち堆肥化は、人，牛，馬、豚、鶏などの動物の糞尿の中の有機物を微生物によって分解変化させて有機質肥料である堆肥を製造することであり、この際、働く微生物は主として好気性微生物である。含水量は６０〜７０質量％が最適であり、この範囲より高水分では通気性が悪く発酵が阻害され、低水分でも同様に発酵が悪くなる。
【０００４】
現状としては、このための水分調整剤としてオガクズ，稲ワラ、樹皮等が使用されているが、それらの吸水倍率は１〜５質量倍程度であって、極めて低く、吸水率の低さから生じる水分調整剤の大量使用による影響で堆肥量が増し、域内処理が困難となり、結果として、設備の大型化，処理コストの増大等が問題となっている。
【０００５】
また、オガクズ，稲ワラ等の使用量が多いため、堆肥化に時間がかかる、完熟堆肥ができにくい等の問題点がある。高含水の堆肥原料は非常に取扱い難く、ベルトコンベアによる移動，ダンプカーなどによる運搬の際には、高含水の堆肥原料がスラリー状で拡がり、流失，飛散による周囲の汚染を生ずる、あるいは運搬効率が低下するといった問題点を有している。
【０００６】
更に、スラリー状の家畜排泄物の処理にはオガクズ、もみ殻、稲ワラなどを加えて固化状とし、扱い易くする操作が行われている。しかし、これらの資材は吸水率が小さいため、処理には嵩で家畜排泄物と同量以上の大量の資材が必要であり、保管場所の確保、処理に伴う排泄物量の増大が問題となっている。
【０００７】
このため家畜排泄物処理などに、高分子吸水剤、たとえば、ポリアクリル酸架橋物（例えば、特許文献１参照）、澱粉または架橋セルロース誘導体（例えば、特許文献２参照）、ポリアミノ酸架橋体（例えば、特許文献３参照）および有機質材料などの他のポリマー架橋体（例えば、特許文献４〜７参照）を用いることが提案されている。
【０００８】
しかしながら、特許文献１のポリアクリル酸架橋物には生分解性がなく、処理後に生成した堆肥が畑に運ばれることを考えると環境への蓄積の懸念もあり、不適切である。また、特許文献２の澱粉またはセルロース系の高分子吸水剤は生分解性を有するが、分解速度が大きく、保管・輸送中に分解が生じ、折角吸水した水分を排出してしまう恐れがあり、その排水対策が必要となる。特許文献３のポリアミノ酸系の高分子吸水剤も生分解性を有するが、微生物による発酵生産であり大量生産が難しい。特許文献４〜７についても堆肥化助剤として、前記問題点を必ずしも充分に解消し得るとはいえない。
【０００９】
特許文献８には、動物糞肥料として、実施例１において、酢酸ビニル成分の９８％をアルカリ鹸化した後に１３０℃で熱処理して得られた粒度２０〜１００メッシュの変性ポリビニルアルコールを、含水率７０％の鶏糞に配合している。しかしながら、このような変性ポリビニルアルコールは、特に含水率が８０％以上である牛や豚の糞に対しては、混合する際に固まり易く、均一に混合されない。また、含水率が高い排泄物に関しては、混合後のベトつきが多く固化性能が不足する。加えて、装置・器具への付着など、処理した排泄物が取扱い難いものとなる。また、これらの排泄物は高く積み上げることができないので、広い貯蔵スペースが必要であり、貯蔵スペースの高度利用が求められている。更に、トラックなどで輸送する際にも、効率よく輸送できず、多くの労力を要すると共に、排泄物処理施設が大きくなり、該処理施設の小型化が求められている。
【００１０】
【特許文献１】特開昭６０−６５７８４号公報
【特許文献２】特開昭５７−８１８９３号公報
【特許文献３】特開２００１−２６１４７５号公報
【特許文献４】特開昭５８−２０８１８９号公報
【特許文献５】特開昭６２−２０２８８９号公報
【特許文献６】特開平６−２０５６２４号公報
【特許文献７】特開平８−２０８３６２号公報
【特許文献８】特開昭５６−１１４８８９号公報
【発明の開示】
【発明が解決しようとする課題】
【００１１】
本発明は、以上のような状況下、特に含水率が高いスラリー状家畜排泄物を、安全、かつ生分解性よく、しかも効果的に固化処理し得る上、処理物は取扱性がよく、高く積上げが可能で、その貯蔵や輸送のためのスペースが少なくし得る家畜排泄物用処理剤および、家畜排泄物の処理方法を提供することを目的とするものである。
【課題を解決するための手段】
【００１２】
本発明者は、上記のような課題を有する家畜排泄物用処理剤について鋭意研究の結果、処理剤として、鹸化度が高く粒径の比較的大きなポリビニルアルコール共重合体を用いることにより、上記のような性能を満たす処理剤が得られ、取扱いが容易で、保存スペースが少なく、家畜排泄物を安全かつ効果的に処理することができることを見出し、本発明に到達した。
【００１３】
すなわち本発明は、以下の家畜排泄物用処理剤および家畜排泄物の処理方法を提供するものである。
（１）  鹸化度が９０モル％以上であり、かつ粒径が２〜２０メッシュのポリビニルアルコール共重合体からなる家畜排泄物用処理剤。
（２）  上部内径１２ｃｍ、下部内径１０ｃｍ、深さ１０ｃｍの容器に家畜排泄物用処理剤２０ｇ、オガクズ２５０ｇおよび牛糞１．０ｋｇの混合物を入れ、高さ１０ｃｍの場所から自重で落下させた時の積み上げ高さが５ｃｍ以上である（１）の家畜排泄物用処理剤。
（３）  乳牛舎のバーンクリーナーに、オガクズ１２ｋｇ／頭・日、家畜排泄物用処理剤１ｋｇ／頭・日を散布し、回収した糞尿をホイールローダーで固めつつベルトコンベアを用いて、トラックの荷台（１．６ｍｘ２．０ｍ）に山積みした際の積み上げ高さが、荷台の床面から高さ２．０ｍ以上である（１）又は（２）の家畜排泄物用処理剤。
（４）  水分量が８０％以上の家畜排泄物に対して施用する（１）〜（３）のいずれかの家畜排泄物用処理剤。
（５）  家畜排泄物が牛及び／又は豚の排泄物である（１）〜（４）のいずれかの家畜排泄物用処理剤。
（６）  家畜排泄物に対して（１）〜（５）のいずれかの家畜排泄物用処理剤を施用することを特徴とする家畜排泄物の固化方法。
（７）  家畜排泄物に対して、家畜排泄物用処理剤を０．１〜３０質量％の割合で施用する（６）の家畜排泄物の固化方法。
（８）  家畜排泄物に対して（１）〜（５）のいずれかの家畜排泄物用処理剤を施用して固化した後、好気発酵させることを特徴とする家畜排泄物の処理方法。
（９）家畜排泄物の堆肥化処理過程において（１）〜（５）のいずれかの家畜排泄物用処理剤を発酵助剤として用いることを特徴とする家畜排泄物の処理方法。
【発明の効果】
【００１４】
本発明の家畜排泄物用処理剤は、従来のオガクズ、もみ殻、稲ワラなどと比較して、少量の使用量で、スラリー状家畜排泄物を、安全、かつ効果的に固化処理することができる。
また、本発明の家畜排泄物用処理剤は、安定性が高く、長期間の保管が可能であり、しかも生分解性を有し、環境への蓄積がないことから、家畜排泄物を環境への汚染をもたらすことなく処理することができる。
さらに、固化処理された家畜排泄物は、保管・輸送中に排水を起こさず、取扱いが容易である上、高く積み上げることができ、その貯蔵や輸送のためのスペースが少なくてすみ、さらには、効率よく輸送できることから、処理施設の小型化につながる。
これ加えて、本発明の家畜排泄物用処理剤は、家畜排泄物に施用した後、好気発酵をすることができ、これにより家畜排泄物を堆肥化して運搬性、取扱性などに優れた肥料として農業用などに有効に用いることができる。
更に、本発明の家畜排泄物用処理剤は、家畜排泄物中の水分を吸収することから、発酵助剤として使用することもできる。
【発明を実施するための最良の形態】
【００１５】
先ず、本発明の家畜排泄物用処理剤に用いられるポリビニルアルコール共重合体は、例えば、共重合モノマーと酢酸ビニルなどのビニル化合物を開始剤の存在下に重合させて共重合モノマーとビニル化合物との共重合体を製造し、これを鹸化することによって製造されるものであり、更に架橋反応により架橋体として使用しても構わない。共重合モノマーとしては、アクリル酸、メタクリル酸、クロトン酸、マレイン酸、フマル酸、イタコン酸、これらのエステルおよび無水物、アクリルアミド、メタクリルアミド、Ｎ，Ｎ−ジメチルアクリルアミド、ビニルスルホン酸、アリルスルホン酸、バーサチック酸ビニル、ステアリン酸ビニル、ラウリル酸ビニルエーテル、メチルビニルエーテル等が挙げられる。これらは一種のみを用いてもよく、二種以上を組み合わせてもよい。
【００１６】
本発明の家畜排泄物用処理剤は、鹸化度が９０モル％以上であり、かつ粒径が２〜２０メッシュのポリビニルアルコール共重合体からなるものである。
取り扱い性を向上させるには、添加したポリビニルアルコール共重合体がある大きさ以上の粒径を有する必要があり、２０メッシュ以下とすることにより、特に含水率の大きいスラリー状の排泄物と混合する際にポリビニルアルコール共重合体が一ヶ所に固まらず均一に分散するようになる。
【００１７】
また、家畜排泄物中にある大きさ以上のゲル状の樹脂が存在することにより骨材の役割を果たし、より強固な固化が実現でき、ベトつきも少なく取り扱い易くなる。ポリビニルアルコール共重合体はその鹸化度により性状が大きく変わることが知られている。一般に鹸化度が小さいとポリビニルアルコール共重合体は水に溶け易い。逆に、鹸化度が大きくなるほど結晶領域が増大し水への溶解性が減少する。固化能力を最大限に発揮し家畜排泄物を取り扱いやすい状態にするためには、ポリビニルアルコール共重合体は排泄物中で溶解せずにゲル状態で存在し、更にそのゲルは排泄物中で骨材としての役割を果たす必要がある。このために本発明の家畜排泄物用処理剤では、鹸化度９０％以上、好ましくは鹸化度９５％以上のポリビニルアルコール共重合体を用いる。
【００１８】
図１は家畜排泄物中でのゲルの状況を示す説明図である。ポリビニルアルコール共重合体の結晶領域が架橋部となり、非晶領域は吸水部となるが、本発明の家畜排泄物用処理剤では、粒径２−２０メッシュで鹸化度９０％以上のポリビニルアルコール共重合体として、その内部に適度の結晶領域を持つことにより、排泄物中で吸水し、適度な大きさと強度を有したゲルとなる。
【００１９】
固化の対象となる堆肥原料としては、牛、豚、馬、鶏などの家畜排泄物が挙げられるが、特に本発明の家畜排泄物用処理剤は水分量が８０質量％以上である牛や豚の排泄物に対して好適に用いることができる。
従って、本発明の家畜排泄物用処理剤の使用場所としては、畜舎内、堆肥舎内、堆肥化センター（集合大型堆肥化装置）などが挙げられる。
【００２０】
本発明の家畜排泄物用処理剤の施用方法としては、家畜排泄物を集めた後に添加して混合しても良いし、畜舎の床に散布しておき家畜排泄物を掻き集める際に同時に回収する様にしても良い。施用量は、家畜排泄物の状況などにより任意に選び得るが、通常、０．１〜３０質量％であり、好ましくは１〜１０質量％である。０．１質量％以上とすることにより処理剤の効果が得られ、取扱い性などが向上する。また、本発明の処理剤を家畜排泄物の堆肥化処理工程において添加し、発酵助剤として使用することもできる。
【００２１】
本発明の家畜排泄物用処理剤は、バーク、オガクズ、モミガラ、木材チップ、剪定木、稲ワラ、火山灰、石炭灰、シリカ、ベントナイト、ゼオライト、タルク、珪藻土、炭酸カルシウム等とのコンパウンド状態で使用しても良く、これらを別途添加して併用して固化させても構わない。また、ポリアクリル酸架橋体などの一般的な高分子吸水剤、カルボキシメチルセルロース架橋体、カルボキシメチルデンプン架橋体、ポリアスパラギン酸架橋体等の生分解性高分子吸水剤を、性能を損なわない範囲で本発明の処理剤に混合させても構わない。
また、本発明の家畜排泄物用処理剤は、シリカなどを表面にまぶしたものでも、消臭剤、発酵促進剤などを添加したものでも良い。
【００２２】
本発明の家畜排泄物用処理剤は、オガクズと比較して適度な接着性があり、オガクズと併用することにより、排泄物をバラつかせることなく固めることが可能であり、少量で優れた効果を有する。また、オガクズの使用量が減ることから、オガクズ等の貯留面積が低減され、堆肥化後の排泄物の嵩が少なく、処理施設の小型化が図られる。
更に本発明の家畜排泄物用処理剤は、ポリアクリル酸架橋体などの一般的な高分子吸水剤と比較して生分解性があり、安全で、環境への蓄積がない。また、他の生分解性の高分子吸水剤と比べて、使用前、保管中の安定性が高く、醗酵中に排水を起こさない。
【００２３】
ポリビニルアルコールはそのケン化度により性状が大きく変わることが知られている。一般にケン化度が小さいとポリビニルアルコールは水に溶け易い。逆に、ケン化度が大きくなるほど結晶領域が増大し水への溶解性が減少する。積み上げを目的とした処理剤とするためには、ポリビニルアルコールは排泄物中で溶解せず、またゲル状態で存在し、粘着物質としての役割を果たす必要がある。
本発明においては、ケン化度９０モル％以上のポリビニルアルコール共重合体はその内部に適度の結晶領域を持つことにより、排泄物中で吸水し、適度な粘着性と強度を有したゲルとなる。
【００２４】
このため本発明の家畜排泄物用処理剤は、後の実施例４〜６（カップテスト）に示すように、例えば、図２に示すような上部内径１２ｃｍ、下部内径１０ｃｍ、深さ１０ｃｍの容器（カップ）に、家畜排泄物用処理剤２０ｇ、オガクズ２５０ｇおよび牛糞１．０ｋｇの混合物を入れ、高さ１０ｃｍの場所から自重で落下させた時に、積み上げ高さが５ｃｍ以上とすることができるので、本発明の家畜排泄物用処理剤を用いることにより、優れた積み上げ性能を有する家畜排泄物が得られ、空間を高度利用して、積み上げスペースが節約できる。
【００２５】
また、後の実施例７〜９（フィールドテスト）に示すように、例えば、乳牛舎のバーンクリーナーに、オガクズ１２ｋｇ／頭・日、本発明の家畜排泄物用処理剤１ｋｇ／頭・日を散布し、回収した糞尿をホイールローダーで固めつつベルトコンベアを用いて、トラックの荷台（１．６ｍｘ２．０ｍ）に山積みした際の積み上げ高さを、荷台の床面から高さ２．０ｍ以上とすることができるので、本発明の家畜排泄物用処理剤を用いることにより、家畜排泄物を効率良く輸送することができ、更には処理施設の小型化を図ることができる。
【００２６】
本発明においては、家畜排泄物用処理剤を家畜排泄物に施用した後、固化物を通常の発酵槽などを用い、空気を通気して好気発酵させることができる。これにより家畜排泄物を堆肥化して、運搬性、取扱性などに優れた肥料として農業用などに有効に用いることができる。
家畜排泄物の堆肥化には微生物による発酵を促進するために水分調整が不可欠である。すなわち堆肥化は、家畜排泄物中の微生物によって分解変化させて有機質肥料である堆肥を製造することであり、この際に働く微生物は主として好気性微生物である。よって、含水率が高いと通気性が悪く発酵が阻害される。
【００２７】
本発明の処理剤は家畜排泄物用処理剤として機能すると同時に、家畜排泄物中の水分を吸収することから、堆肥化する際の発酵助剤としても機能する。
従来、家畜排泄物の堆肥化処理においても前述のオガクズ、もみ殻、稲ワラなどが通気性を改良する堆肥化助剤として使用されてきた。しかし、これらの資材は吸水率が小さいため、処理には嵩で二倍以上と大量に資材が必要であり、保管場所の確保、処理に伴う排泄物の増大、処理設備の大型化が問題となっている。本発明の処理剤を堆肥化処理の過程において使用することにより、堆肥化過程におけるオガクズなどの貯留面積の低減、処理する排泄物量の減容化、処理施設の小型化が可能となる。
【実施例】
【００２８】
次に、本発明を実施例及び比較例により更に具体的に説明するが、本発明はこれらの実施例等によって限定されるものではない。
なお、以下の実施例１〜３、比較例１〜４及び参考例１においては、家畜排泄物として山口県立農業大学校で採取した乳牛糞尿（含水率８４質量％）を用いた。
また、実施例４〜１０及び比較例５〜１０においては、家畜排泄物として近隣農家から、含水率８７質量％の乳牛糞を採取し、その日のうちに実験に用いた。オガクズには、比重０．２のオガクズを使用した。
各試料（処理剤を指す。以下同様）に用いたポリビニルアルコール共重合体の分級は、目的に合わせた篩により行った。
【００２９】
（固化性能の測定方法）
（１）模擬糞尿の作製
ブレンダーを用い粉砕・分級したドックフード（５００μｍ以下、ユニチャーム製「愛犬元気」７歳以上用）と人工尿（１０００ｇ中、純水：９７０．９ｇ、尿素：１９．４ｇ、ＮａＣｌ：８．０ｇ、ＭｇＳＯ4・７Ｈ2Ｏ：１．１ｇ、ＣａＣｌ2：０．６ｇ）とをドックフード：人工尿＝２０:８０（質量比）で混合し、模擬糞尿とした。
【００３０】
（２）模擬糞尿と試料との混合
２００ｍｌのディスポカップに、上記した模擬糞尿１００ｇとポリビニルアルコール共重合体６ｇとを加え、スパチュラにて均一に混合した。試料が模擬糞尿中で吸水し、定常状態となるまで放置し、５時間後に相対高さを測定した。
【００３１】
（３）相対高さの測定方法
図３で示したポリエチレン製のカップに、試料を混ぜた模擬糞尿を入れ、上からスパチュラで押さえて擦り切れ一杯に詰め込んだ。カップを逆さにし、内部の模擬糞尿をそっと取り出した。３０秒後、出てきた模擬糞尿の高さ（Ａ）を測定し、固化性能を示す「相対高さ」を算出した。
なお、後述の実施例１で用いた試料Ｄにおいて、家畜排泄物として用いた乳牛糞尿と模擬糞尿の場合の「相対高さ」の比較を図４に示す。
図４より両者の傾向が類似しており、模擬糞尿が乳牛糞の代替物として利用できることが分る。
【００３２】
（発酵試験方法）
乳牛糞５．０ｋｇにポリビニルアルコール共重合体３００ｇ（２５０ｍｌ）又はオガクズ２．５ｋｇ（１２．５Ｌ）を添加し、均一に混合した。その後、小型堆肥化実験装置「かぐやひめ」（富士平工業株式会社製）の発酵槽に該混合物を詰め、装置を組み立てた。これに５００ｍｌ／ｍｉｎで空気を通し、排気ラインに酸素メーターを取り付け、酸素濃度を測定した。また、温度測定用の熱伝対は詰められた乳牛糞の中央の位置に来るようにセットした。実験装置は２５℃の恒温室に設置した。
【００３３】
（積み上げ性能Ａ（カップテスト）の評価方法）
ステンレス製のバットに、試料（処理剤）２０ｇ、オガクズ２５０ｇおよび牛糞１．０ｋｇを入れ、均一に混合した。処理剤が吸水し、定常状態となった後、図２に示したポリエチレン製のカップに上から押さえて擦り切り一杯に詰め込んだ。カップを逆さにし、高さ１０ｃｍの場所から自重で落下させた時に形成する家畜排泄物の高さ（Ａ）を１分後に測定した。
【００３４】
（積み上げ性能Ｂ（フィールドテスト）の評価方法）
乳牛舎のバーンクリーナーに、オガクズ１２ｋｇ／頭・日（通常の乳牛舎で使用される量）、試料（処理剤）１ｋｇ／頭・日を散布し、回収した糞尿をホイールローダーで固めつつベルトコンベアを用いて、トラックの荷台（１．６ｍｘ２．０ｍ）に山積みした際の積み上げ高さ（荷台の床面から高さ）を測定し、積み上げ性能Ｂ（フィールドテスト）を次のように評価した。
× ：２．０ｍ未満（積み上げ高さ）
○ ：２．０〜２．５ｍ
◎ ：２．５ｍ以上
【００３５】
比較例１（固化性能測定および発酵試験、試料：なし）
模擬糞尿及び乳牛糞に処理剤を混合せずに、それぞれ固化性能測定と発酵試験を行った。固化性能測定の結果と、発酵試験による内部温度と排出される空気の酸素濃度の経時変化を第１表に示す。固化性能測定の「相対高さ」は０．４５であり高さが半分以下になっている。発酵前の排泄物はスラリー状であり、通気性は不良であった（容積＝５．０Ｌ，比容積＝１．０ｍｌ／ｇ）。また、発酵試験では、発酵に伴う温度の上昇と、酸素濃度の減少は認められなかった。
【００３６】
比較例２（試料Ａ）
試料として鹸化度７９．５モル％、粒径２〜２０メッシュのポリビニルアルコール共重合体（試料Ａ：（株）クラレ製、ＰＶＡ−４２４Ｈ）を用いて固化性能の測定と発酵試験を行った。固化性能測定と発酵試験の結果を第１表に示す。
固化性能測定の「相対高さ」は０．２８であり添加により逆に流動性が大きくなった。発酵前の排泄物はスラリー状で粘度が大きく、通気性は不良であった（容積＝５．３Ｌ，比容積＝１．０ｍｌ／ｇ）。また、発酵試験では、発酵に伴う温度の上昇と、酸素濃度の減少は認められなかった。
【００３７】
比較例３（試料Ｂ）
試料として鹸化度８８．０モル％、粒径２〜２０メッシュのポリビニルアルコール共重合体（試料Ｂ：日本酢ビ・ポバール（株）製、ＪＰ−３３）を用いて固化性能の測定と発酵試験を行った。固化性能測定と発酵試験の結果を第１表に示す。
５時間後の固化性能測定では、まだ固化状況が充分ではなく、発酵前の排泄物は餅状で粘度が大きく、通気性は不良であった（容積＝６．４Ｌ，比容積＝１．２ｍｌ／ｇ）。発酵試験では、僅かに発酵に伴う温度の上昇と、酸素濃度の減少が認められたものの、充分ではなかった。
【００３８】
比較例４（試料Ｃ）
試料として鹸化度９７．０モル％、粒径２０超〜１００メッシュのポリビニルアルコール共重合体（試料Ｃ：日本酢ビ・ポバール（株）製、ＪＭ−２３）を用いて固化性能の測定試験を行った。固化性能測定の結果を第１表に示す。５時間後の固化性能測定では、まだ固化状況が充分ではなかった。
【００３９】
参考例（オガクズ）
試料として比重０．２のオガクズを２．５ｋｇ（１２．５Ｌ）用い、発酵試験を行った。発酵試験の結果を第１表に示す。発酵前の排泄物はパサパサしており、通気性は良好であった（容積＝１６．５Ｌ，比容積＝２．２ｍｌ／ｇ）。発酵試験では、発酵に伴う温度の上昇と、酸素濃度の減少が認められた。なお、固化するために要したオガクズの容積は１２．５Ｌであり、ポリビニルアルコール共重合体の場合の約５０倍であった。
【００４０】
実施例１（試料Ｄ）
試料として鹸化度９５．５モル％、粒径２〜２０メッシュのポリビニルアルコール共重合体（試料Ｄ：（株）クラレ製、ＰＶＡ−６２４）を用いて固化性能の測定と発酵試験を行った。固化性能測定と発酵試験の結果を第１表に示す。固化性能の「相対高さ」で０．９以上であり殆ど形状の変化が無く固まっていることが分る。発酵前の排泄物はパサパサしており、通気性は良好であった（容積＝１０．６Ｌ，比容積＝２．０ｍｌ／ｇ）。また、発酵試験では、発酵に伴う温度の上昇と、酸素濃度の減少が認められた。
【００４１】
実施例２（試料Ｅ）
試料として鹸化度９７．０モル％、粒径２〜２０メッシュのポリビニルアルコール共重合体（試料Ｅ：日本酢ビ・ポバール（株）製、ＪＭ−２３）を用いて固化性能の測定を行った。固化性能測定の結果を第１表に示す。固化性能の「相対高さ」で０．９以上であり、殆ど形状の変化が無く固まっていることが分る。
【００４２】
実施例３（試料Ｆ）
試料として鹸化度９９．５モル％、粒径２〜２０メッシュのポリビニルアルコール共重合体（試料Ｆ：日本合成化学（株）製、Ｔ−３３０Ｈ）を用いて固化性能の測定と発酵試験を行った。固化性能測定と発酵試験の結果を第１表に示す。固化性能の「相対高さ」で１．０であるので形状の変化が無く固まっていることが分る。発酵前の排泄物はパサパサしており、通気性は良好であった（容積＝１１．１Ｌ，比容積＝２．１ｍｌ／ｇ）。また、発酵試験では、発酵に伴う温度の上昇と、酸素濃度の減少が認められた。
【００４３】
【表１】
2006110537.tif 000002
【００４４】
実施例４（カップテスト、試料Ｆ）
処理剤として試料Ｆ（日本合成化学（株）製、Ｔ−３３０Ｈ）を用いて積み上げ性能Ａの評価（カップテスト）を行った。結果を第２表に示す。落下後、糞尿は若干つぶれて変形した。落下後の高さは７．０ｃｍであった。
【００４５】
実施例５（試料Ｅ）
処理剤として試料Ｅ（日本酢ビ・ポバール（株）製、ＪＭ−２３）を用いて積み上げ性能Ａの評価を行った。結果を第２表に示す。落下後、糞尿は若干つぶれて変形した。落下後の高さは８．３ｃｍであった。
【００４６】
実施例６（試料Ｄ）
処理剤として試料Ｄ（（株）クラレ製、ＰＶＡ−６２４）を用いて積み上げ性能Ａの評価を行った。結果を第２表に示す。落下後、糞尿は若干つぶれて変形した。落下後の高さは７．５ｃｍであった。
【００４７】
比較例５（試料なし）
オガクズのみ２５０ｇを添加して積み上げ性能Ａの評価を行った。結果を第２表に示す。落下後、糞尿は大きくつぶれて変形した。落下後の高さは４．２ｃｍであった。
【００４８】
比較例６（試料なし、オガクズ２倍量）
オガクズのみ５００ｇ（２倍量）を添加して積み上げ性能Ａの評価を行った。結果を表２に示す。落下後、糞尿はくずれてばらばらになった。崩れた破片の最も高い部分で４．２ｃｍであった。
【００４９】
比較例７（試料Ａ）
処理剤としてケン化度７９．５モル％、粒径２−２０メッシュのポリビニルアルコール共重合体（試料Ａ：（株）クラレ製、ＰＶＡ−４２４Ｈ）を用いて積み上げ性能Ａの評価を行った。結果を第２表に示す。落下後、糞尿は大きくつぶれて変形した。落下後の高さは３．３ｃｍであった。
【００５０】
【表２】
2006110537.tif 000003
【００５１】
実施例７（フィールドテスト、試料Ｆ）
試料Ｆ（日本合成化学（株）製、Ｔ−３３０Ｈ）を用いて積み上げ性能試験Ｂの評価（フィールドテスト）を行った。結果を第３表に示す。トラック荷台の床面から高さ２．５ｍまで積むことができた。
【００５２】
実施例８（試料Ｅ）
試料Ｅ（日本酢ビ・ポバール（株）製、ＪＭ−２３）を用いて積み上げ性能Ｂの評価を行った。結果を第３表に示す。高さ３．０ｍまで積むことができた。
【００５３】
実施例９（試料Ｄ）
試料Ｄ（（株）クラレ製、ＰＶＡ−６２４）を用いて積み上げ性能Ｂの評価を行った。結果を第３表に示す。高さ２．７ｍまで積むことができた。
【００５４】
比較例８（試料なし）
試料Ｆを用いずに、積み上げ性能Ｂの評価を行った。結果を第３表に示す。高さ１．５ｍまでしか積み上げることができなかった。
【００５５】
比較例９（試料なし、オガクズ２倍量）
試料Ｆを用いずに、かつ、オガクズの使用量を２４ｋｇ／頭・日（２倍量）に変更し、積み上げ性能Ｂの評価を行った。結果を第３表に示す。高さ１．８ｍまでしか積み上げることができなかった。
【００５６】
比較例１０（試料Ａ）
試料Ａ（（株）クラレ製、ＰＶＡ−４２４Ｈ）を用いて積み上げ性能Ｂの評価を行った。結果を第３表に示す。高さ０．９ｍまでしか積むことができなかった。
【００５７】
【表３】
2006110537.tif 000004
【図面の簡単な説明】
【００５８】
【図１】家畜排泄物中でのゲルの状況を示す説明図である。
【図２】積み上げ性能Ａ（カップテスト）の評価方法示す説明図である。
【図３】固化性能測定における相対高さの測定方法示す説明図である。
【図４】家畜排泄物として用いた乳牛糞尿と模擬糞尿の場合の「相対高さ」の比較を示すグラフである。
【図１】
2006110537.tif 000005
【図２】
2006110537.tif 000006
【図３】
2006110537.tif 000007
【図４】
2006110537.tif 000008